(57)【要約】【課題】遊技盤の形状に対応した遊技盤用釘打ち治具を提供する。【解決手段】遊技盤２は、釘が打たれる釘領域を有する遊技領域板３と、遊技領域板３の外周に取付けられる遊技盤外枠を有する。治具１は、凹部１ｂと釘領域支持部１ｄと遊技領域板位置決め構造（１ｇ）とテーブル位置決め構造（１ｉ）を有する。凹部１ｂは、遊技領域板３に対応する形状を有して遊技領域板３が内設される。釘領域支持部１ｄは、凹部１ｂに形成されかつ釘領域の裏側に当接または近接する。遊技領域板位置決め構造は、遊技領域板３を治具１に位置決めする。テーブル位置決め構造は、治具１を釘打ち機のテーブルに位置決めする。【選択図】図１
2013248106.tif 000002
【特許請求の範囲】
【請求項１】
樹脂製の遊技盤に釘打ち機によって釘を打つ際に使用される遊技盤用釘打ち治具であって、
前記遊技盤は、前記釘が打たれる釘領域を有する遊技領域板と、前記遊技領域板の外周に取付けられる遊技盤外枠を有し、
前記治具は、前記遊技領域板に対応する形状を有して前記遊技領域板が内設される凹部と、前記凹部に形成されかつ前記釘領域の裏側に当接または近接する釘領域支持部と、前記遊技領域板を前記治具に位置決めする遊技領域板位置決め構造と、前記治具を前記釘打ち機のテーブルに位置決めするテーブル位置決め構造を有する遊技盤用釘打ち治具。
【請求項２】
請求項１に記載の遊技盤用釘打ち治具であって、
前記遊技領域板は、前記遊技盤外枠に取付けられる取付部を有し、
前記遊技領域板位置決め構造は、前記取付部を位置決めする位置決め部を有する遊技盤用釘打ち治具。
【請求項３】
請求項２に記載の遊技盤用釘打ち治具であって、
前記遊技領域板の取付部には、前記遊技領域板を前記遊技盤外枠に取付けるねじが挿入されるねじ穴が形成され、
前記遊技領域板位置決め構造は、前記位置決め部から突出して前記ねじ穴に突入するボスを有する遊技盤用釘打ち治具。
【発明の詳細な説明】
【技術分野】
【０００１】
本発明は、樹脂製の遊技盤に釘打ち機によって釘を打つ際に使用される遊技盤用釘打ち治具に関する。
【背景技術】
【０００２】
特許文献１には、治具を利用して遊技盤に釘を打つ製造方法が開示されている。遊技盤は、樹脂製の四角形の透明板と、透明板の外周部の裏面に重ねられるベニア環状板を有する。治具は、ベニア環状板の中央の孔に対応する形状を有する。治具がベニア環状板の中央の孔に設置され、治具とベニア環状板が下になるように透明板が釘打ち機のテーブルにセットされる。したがって透明板に釘を打つ際に透明板が撓むことが治具によって抑制される。これにより釘が透明板に確実に打たれ得る。
【先行技術文献】
【特許文献】
【０００３】
【特許文献１】特開２０１０−２６８９２６号公報
【発明の概要】
【発明が解決しようとする課題】
【０００４】
しかし樹脂製の遊技盤の形状を他の形状等にしたいとの要望があり、その要望に対応する遊技盤用釘打ち治具が従来必要とされている。
【課題を解決するための手段】
【０００５】
前記課題を解決するために本発明は、各請求項に記載の通りの構成を備える遊技盤用釘打ち治具であることを特徴とする。一つの特徴によると本発明は、樹脂製の遊技盤に釘打ち機によって釘を打つ際に使用される遊技盤用釘打ち治具である。遊技盤は、釘が打たれる釘領域を有する遊技領域板と、遊技領域板の外周に取付けられる遊技盤外枠を有する。治具は、凹部と釘領域支持部と遊技領域板位置決め構造とテーブル位置決め構造を有する。凹部は、遊技領域板に対応する形状を有して遊技領域板が内設される。釘領域支持部は、凹部に形成されかつ釘領域の裏側に当接または近接する。遊技領域板位置決め構造は、遊技領域板を治具に位置決めする。テーブル位置決め構造は、治具を釘打ち機のテーブルに位置決めする。
【０００６】
したがって遊技盤は、遊技領域板と遊技盤外枠に分かれている。そのため遊技領域板は、四角形板状でない形状等を有し得る。遊技領域板は、治具の凹部に設置され、遊技領域板位置決め構造によって治具に位置決めされる。そのため遊技領域板は、治具に対して安定良く支持される。遊技領域は、釘を打つ際に撓むことが釘領域支持部によって抑制されるため、遊技領域に釘が確実かつ精確に打たれ得る。釘打ち機のテーブルには、遊技領域板ではなく治具が位置決めされる。したがって遊技領域板の外形形状に係らず、遊技領域板が治具を介して確実にテーブルに位置決めされ得る。
【図面の簡単な説明】
【０００７】
【図１】治具と遊技領域板の斜視図である。
【図２】遊技盤の斜視図である。
【図３】遊技盤の正面図である。
【図４】遊技盤の分解斜視図である。
【図５】遊技領域板の背面斜視図である。
【図６】治具の斜視図である。
【図７】治具の正面図である。
【図８】治具の背面斜視図である。
【図９】治具とテーブルの斜視図である。
【図１０】テーブルに装着された治具と、遊技領域板の斜視図である。
【図１１】治具に装着された遊技領域板と、テーブルの斜視図である。
【図１２】釘が打たれた遊技領域板と治具とテーブルの斜視図である。
【図１３】釘打ち機の斜視図である。
【発明を実施するための形態】
【０００８】
本発明の１つの実施の形態を図１〜１３にしたがって説明する。図２〜４に示すように遊技機（例えばパチンコ機）の遊技盤２は、遊技領域板３と遊技盤外枠４を有する。遊技領域板３と遊技盤外枠４は、樹脂製で好ましくは光を通し得る透明性を有する。遊技領域板３は、例えば射出成形によって形成される。
【０００９】
遊技領域板３は、図４，５に示すように環状の主板部３ａと中央に位置する中央窓３ｂを有する。中央窓３ｂには、図示省略のセンター役物が装着される。主板部３ａの外周縁３ｃは、主板部３ａの全周に形成され、裏方向に突出する。主板部３ａの内周縁３ｄは、中央窓３ｂの全周に形成され、裏方向に突出する。主板部３ａの裏面には、凹部３ｈが形成され、凹部３ｈにおける主板部３ａの厚さは薄く、例えば３〜７ｍｍである。外周縁３ｃと内周縁３ｄにおける主板部３ａの厚さは厚く、例えば１０ｍｍである。
【００１０】
主板部３ａは、図４，５に示すように釘が打たれる釘領域を有する。釘領域には複数の釘用ボス３ｊが形成される。釘用ボス３ｊは、円柱状であって、凹部３ｈの底面から裏側へ突出する。釘用ボス３ｊを有する主板部３ａの厚さは、外周縁３ｃと内周縁３ｄよりも小さく、例えば９ｍｍである。釘領域には釘よりも径が小さくかつ釘が挿入される孔３ｋが形成される。孔３ｋは、主板部３ａの表面から釘用ボス３ｊを厚み方向に貫通する。
【００１１】
主板部３ａには、図４，５に示すように入賞口３ｆとアタッカー用孔３ｇが形成される。入賞口３ｆの表側には、図示省略の入賞口部材が装着される。入賞口３ｆの下部裏側には、裏側へ突出する球樋３ｉが形成される。球樋３ｉは、入賞口３ｆから入賞された遊技球を遊技領域板３の裏側に案内する。球樋３ｉは、外周縁３ｃよりも裏側に突出する。アタッカー用孔３ｇには、図示省略のアタッカーが装着される。
【００１２】
外周縁３ｃには、図３，４に示すように複数の取付部３ｅが形成される。取付部３ｅは、外周縁３ｃに沿って所定間隔で位置し、外方に突出する。取付部３ｅには、厚み方向に貫通するねじ穴３ｅ１が形成される。ねじ穴３ｅ１にねじが挿入され、ねじによって遊技領域板３が遊技盤外枠４に装着される。
【００１３】
遊技盤外枠４は、図２〜４に示すように枠本体４ａを有する。枠本体４ａは、遊技領域板３の遊技領域に重ならず、遊技領域板３の全外周に沿う。枠本体４ａの中央には中央窓４ｂが形成される。中央窓４ｂの近傍には、枠本体４ａの裏部に装着部が形成される。装着部に取付部３ｅが装着されることで遊技領域板３が遊技盤外枠４に取付けられかつ遊技領域板３が中央窓４ｂに内設される。
【００１４】
遊技盤外枠４の左側内周縁には、図４に示すようにレール構造４ｃが設けられる。レール構造４ｃは、アウタレール４ｃ１と、アウタレール４ｃ１の内側に並設されるインナレール４ｃ２と、底面を形成する底レール４ｃ３を有する。遊技盤外枠４の下内周縁には、流出口４ｄが形成される。
【００１５】
図９〜１２に示すように遊技領域板３は、治具１を利用して釘打ち機１０によって釘６が打たれる。釘打ち機１０は、図１３に示すように可動体１３とテーブル１１と釘打ち機構１４を有する。可動体１３は、基台１２に左右方向に移動可能に装着される。テーブル１１は、可動体１３に前後方向に移動可能に装着される。釘打ち機構１４は、釘供給機１４ａと、釘供給機１４ａから供給された釘を保持して移動するチャック１４ｂと、チャック１４ｂを上下動させる押動子１４ｃを有する。
【００１６】
治具１は、図６〜８に示すように板状であって中央に形成された凹部１ｂと、凹部１ｂの外周に位置する外周部１ａを有する。外周部１ａは、最も厚みが厚く、例えば１９ｍｍに設定される。凹部１ｂは、図１に示すように遊技領域板３に対応する形状を有し、遊技領域板３が挿入される。
【００１７】
凹部１ｂの底面は、図１，６に示すように外周領域１ｃと中央領域１ｅと釘領域支持部１ｄを有する。外周領域１ｃは、遊技領域板３の外周縁３ｃに対応する形状を有し、外周縁３ｃが設置される。外周領域１ｃの深さは、外周縁３ｃの高さに対応し、例えば１０ｍｍの深さを有する。中央領域１ｅは、遊技領域板３の内周縁３ｄに対応する形状を有し、内周縁３ｄが設置される。中央領域１ｅの深さは、内周縁３ｄの高さに対応し、例えば１０ｍｍの深さを有する。
【００１８】
釘領域支持部１ｄは、図１，６，７に示すように外周領域１ｃと中央領域１ｅの間に位置する。釘領域支持部１ｄは、釘が打たれる遊技領域板３の主板部３ａに対応する形状を有する。釘領域支持部１ｄの深さは、図５に示す遊技領域板３の釘用ボス３ｊの高さに対応し、例えば９ｍｍの深さを有する。
【００１９】
凹部１ｂには、図１に示すように逃がし孔１ｆが形成される。逃がし孔１ｆは、図５に示す遊技領域板３の球樋３ｉに対応して位置する。遊技領域板３を凹部１ｂに設置すると、球樋３ｉが逃がし孔１ｆに挿入される。外周縁３ｃが外周領域１ｃに当接し、内周縁３ｄが中央領域１ｅに当接する。これにより遊技領域板３が全周において治具１に対して高さ方向に支持される。
【００２０】
遊技領域板３を凹部１ｂに設置すると、図１，５に示すように釘用ボス３ｊの裏側が釘領域支持部１ｄに近接、好ましくは当接する。したがって遊技領域板３の表側から釘が挿入される際、釘用ボス３ｊが高さ方向に移動することが釘領域支持部１ｄにて規制される。そのため遊技領域板３に釘を挿入する際に遊技領域板３が撓むことが抑制される。外周部１ａの表面と遊技領域板３の主板部３ａの表面は、高さが略等しくなる。したがって主板部３ａは、釘打ち機１０によって釘を打つ際に邪魔にならない。
【００２１】
治具１は、図１，６に示すように遊技領域板３を位置決めする遊技領域板位置決め構造を有し、遊技領域板位置決め構造は複数の位置決め部１ｇを有する。位置決め部１ｇは、遊技領域板３の取付部３ｅに対応した凹状であり取付部３ｅが挿入される。３つの位置決め部１ｇには、ボス１ｈが形成される。２つのボス１ｈは治具１の下側領域に位置し、１つのボス１ｈは治具１の上側領域に位置する。ボス１ｈは、ピン状であって位置決め部１ｇの底面から突出し、取付部３ｅのねじ穴３ｅ１に突入する。ボス１ｈが挿通されない取付部３ｅは、ねじ５によって位置決め部１ｇに位置決めされ得る。
【００２２】
治具１は、図１，９に示すようにテーブル１１に対する位置を決定するテーブル位置決め構造を有し、テーブル位置決め構造が複数の位置決め孔１ｉを有する。位置決め孔１ｉは、外周部１ａを厚み方向に貫通する。位置決め孔１ｉは、テーブル１１に形成された位置決めボス１１ａに対応して位置する。位置決め孔１ｉに位置決めボス１１ａが挿通されることで、治具１がテーブル１１に位置決めされる。
【００２３】
図９に示すように治具１は、位置決め孔１ｉとボス１１ａによってテーブル１１に位置決めされる。図１０に示すように遊技領域板３は、取付部３ｅと位置決め部１ｇとボス１ｈによって治具１に位置決めされる。図１３に示すようにテーブル１１を可動体１３に対して移動し、可動体１３を基台１２に対して移動することで、テーブル１１が基台１２に対して所定位置に設定される。押動子１４ｃが移動してきたチャック１４ｂを押下げて、チャック１４ｂに保持された釘６が図１１，１２に示すように遊技領域板３に挿入される。
【００２４】
複数の釘６が打たれた図１２に示す遊技領域板３は、治具１から取外される。遊技領域板３は、図４に示すように取付部３ｅのねじ穴３ｅ１に挿通されるねじによって遊技盤外枠４に装着される（図２，３参照）。
【００２５】
以上のように遊技盤２は、図１，４に示すように釘が打たれる釘領域を有する遊技領域板３と、遊技領域板３の外周に取付けられる遊技盤外枠４を有する。治具１は、凹部１ｂと釘領域支持部１ｄと遊技領域板位置決め構造（１ｇ）とテーブル位置決め構造（１ｉ）を有する。凹部１ｂは、遊技領域板３に対応する形状を有して遊技領域板３が内設される。釘領域支持部１ｄは、凹部１ｂに形成されかつ釘領域の裏側に当接または近接する。遊技領域板位置決め構造は、遊技領域板３を治具１に位置決めする。テーブル位置決め構造は、治具１を図９の釘打ち機１０のテーブル１１に位置決めする。
【００２６】
したがって遊技盤２は、遊技領域板３と遊技盤外枠４に分かれている。そのため遊技領域板３は、四角形板状でない形状等を有し得る。遊技領域板３は、治具１の凹部１ｂに設置され、遊技領域板位置決め構造によって治具１に位置決めされる。そのため遊技領域板３は、治具に対して安定良く支持される。遊技領域は、釘を打つ際に撓むことが釘領域支持部１ｄによって抑制されるため、遊技領域に釘が確実かつ精確に打たれ得る。釘打ち機１０のテーブル１１には、遊技領域板３ではなく治具１が位置決めされる。したがって遊技領域板３の外形形状に係らず、遊技領域板３が治具１を介して確実にテーブル１１に位置決めされ得る。
【００２７】
遊技領域板３は、図１，４に示すように遊技盤外枠４に取付けられる取付部３ｅを有する。遊技領域板位置決め構造は、取付部３ｅを位置決めする位置決め部１ｇを有する。したがって遊技領域板３の取付部３ｅは、遊技盤外枠４に取付けられる機能と、治具１に位置決めされる機能とを奏する。
【００２８】
遊技領域板３の取付部３ｅには、図１，４に示すように遊技領域板３を遊技盤外枠４に取付けるねじが挿入されるねじ穴３ｅ１が形成される。遊技領域板位置決め構造は、位置決め部１ｇから突出してねじ穴３ｅ１に突入するボス１ｈを有する。したがってねじ穴３ｅ１にボス１ｈを挿入することで遊技領域板３が容易に治具１に位置決めされ得る。ねじ穴３ｅ１は、遊技領域板３を治具１に位置決めする機能と、遊技領域板３を遊技盤外枠４に取付ける機能とを奏する。
【００２９】
治具１の外形は、従来のベニア板の遊技盤と略同じ外形を有する。したがって釘打ち機１０は、治具１を用いて遊技領域板３のみならず、設定等を大きく変更することなくベニア板の遊技盤にも釘を打つことができる。
【００３０】
本発明の形態を上記構造を参照して説明したが、本発明の目的を逸脱せずに多くの交代、改良、変更が可能であることは当業者であれば明らかである。したがって本発明の形態は、添付された請求項の精神と目的を逸脱しない全ての交代、改良、変更を含み得る。例えば本発明の形態は、前記特別な構造に限定されず、下記のように変更が可能である。
【００３１】
遊技領域板３は、図５に示すように釘領域に凹部３ｈと釘用ボス３ｊを有していても良いし、釘領域が凹部３ｈと釘用ボス３ｊを有さず、釘を保持し得る十分な厚みを有していても良い。
【００３２】
遊技盤外枠４は、図２に示すように遊技領域板３の全周に沿っても良いし、遊技領域板３の外周の一部に沿う形状でも良い。
【００３３】
釘領域支持部１ｄは、図１に示すように外周領域１ｃと中央領域１ｅよりも遊技領域板３に膨らんでいていも良いし、釘用ボス３ｊの高さに応じて外周領域１ｃと中央領域１ｅよりも凹んでいても良い。
【００３４】
遊技領域板位置決め構造は、図１に示すように取付部３ｅがねじ５で装着される位置決め部１ｇと、取付部３ｅに挿通されるボス１ｈを有していても良いし、いずれか一種を有していても良い。
【００３５】
遊技領域板位置決め構造は、取付部３ｅを利用して遊技領域板３を治具１に位置決めしても良いし、入賞口３ｆとアタッカー用孔３ｇなど遊技領域板３の一部分を利用して遊技領域板３を治具１に位置決めしても良い。
【００３６】
テーブル位置決め構造は、図９に示すようにテーブル１１のボス１１ａが挿通される位置決め孔１ｉを有していても良いし、テーブル１１に穴が形成され、該穴に挿入される凸部を有していても良い。あるいは治具１をテーブル１１に磁力によって位置決めする磁力部材を有していても良い。
【００３７】
治具１は、図１に示すように１枚の遊技領域板３が設置されても良いし、遊技盤が平面上で並設される複数の遊技領域板を有し、治具に複数の遊技領域板が設置されても良い。
【００３８】
治具１には、図５に示す球樋３ｉが挿通される逃がし孔１ｆが形成されても良いし、逃がし孔１ｆに加えてあるいは代えて遊技領域板３に装着された役物あるいは演出部材が挿通される逃がし孔が形成されても良い。
【符号の説明】
【００３９】
１     治具
１ｂ   凹部
１ｄ   釘領域支持部
１ｆ   逃がし孔
１ｇ   位置決め部（遊技領域板位置決め構造）
１ｈ   ボス（遊技領域板位置決め構造）
１ｉ   位置決め孔（テーブル位置決め構造）
２     遊技盤
３     遊技領域板
３ｃ   外周縁
３ｄ   内周縁
３ｅ   取付部
３ｅ１ ねじ穴
３ｊ   釘用ボス（釘領域）
４     遊技盤外枠
１０   釘打ち機
１１   テーブル
１１ａ ボス
【図１】
2013248106.tif 000003
【図２】
2013248106.tif 000004
【図３】
2013248106.tif 000005
【図４】
2013248106.tif 000006
【図５】
2013248106.tif 000007
【図６】
2013248106.tif 000008
【図７】
2013248106.tif 000009
【図８】
2013248106.tif 000010
【図９】
2013248106.tif 000011
【図１０】
2013248106.tif 000012
【図１１】
2013248106.tif 000013
【図１２】
2013248106.tif 000014
【図１３】
2013248106.tif 000015